(57)【要約】【課題】配管や配線の必要がなく、温度を調節するための制御手段も必要がなく、構造が簡単で、安価にイチゴのクラウン部を温められる技術を提供する。【解決手段】イチゴ３をプランター２に植え付けてハウス８内に配置し、扁平状の袋内に蓄熱材を封入してマット状に形成した加温体３０を前記イチゴのクラウン部３ａの側部に敷き詰め、日中のハウス８内の気温上昇により前記加温体３０を温めて蓄熱し、夜間、蓄熱材の凝固温度以下となると、加温体３０の放熱によりクラウン部３ａを温める。【選択図】図３
2014030403.tif 000002
【特許請求の範囲】
【請求項１】
イチゴをプランターに植え付けてハウス内に配置し、扁平状の袋内に蓄熱材を封入してマット状に形成した加温体を前記イチゴのクラウン部の側部に敷き詰め、日中のハウス内の気温上昇により前記加温体を温めて蓄熱し、夜間、蓄熱材の凝固温度以下となると、加温体の放熱によりクラウン部を温めることを特徴とするイチゴのクラウン部加温方法。
【請求項２】
請求項１に記載のイチゴのクラウン部加温方法に用いる加温体であって、加温体は矩形のマット状に形成され、長手方向の一つの辺にイチゴの植付間隔に合わせて凹部が形成されることを特徴とする加温体。
【請求項３】
請求項１に記載のイチゴのクラウン部加温方法に用いる加温体であって、加温体は矩形のマット状に形成され、長手方向の一つの辺にイチゴの植付間隔に合わせて切込が形成されることを特徴とする加温体。
【請求項４】
請求項１に記載のイチゴのクラウン部加温方法に用いる加温体であって、加温体は矩形のマット状に形成され、長手方向の一つの辺に凹部と凸部を交互に配置して波状に形成されることを特徴とする加温体。
【請求項５】
請求項１に記載のイチゴのクラウン部加温方法に用いる加温体であって、加温体は中央にクラウン部挿通孔を開口し、外周から前記クラウン部挿通孔に向かって切込が形成されることを特徴とする加温体。
【発明の詳細な説明】
【技術分野】
【０００１】
本発明は、プランターや高設式等でイチゴをハウス栽培する場合において、イチゴのクラウン部を温める技術に関する。
【背景技術】
【０００２】
従来、イチゴのクラウン部の周辺を温めて、草丈を大きくし、葉を大きくする技術が公知となっている。例えば、特許文献１・２の技術である。
【０００３】
特許文献１の技術は、１個以上の窓を有する窓付構造体と、気体や液体からなる媒体を通す通媒体から構成され、窓付構造体の上内面と培地との間に空間である環境共生空間を形成し、窓及び窓付構造体が、２個以上複数に分割でき、媒体を通媒体へ送ることにより環境共生空間を温度調節し、イチゴのクラウン部及びその周縁部の温度調節をするようにしていた。このような構成であると、配管が必要となり、媒体を圧送する装置や媒体を熱交換する装置等も必要で、設備が大がかりとなり、高価となってしまう。
特許文献２の技術は、植物の形状に合わせて容易に巻きつけられるようにし、曲げても断線の発生がなく均一な温度が得られ、任意の大きさに製作でき、使用後は簡単に巻き取れ、作業性，安全性，経済性に優れる長尺金属箔ヒータとする技術である。しかし、このヒータの場合、配線と温度制御が必要なため、高価となってしまう。
更に、栽培ベンチにイチゴを移植したプランターを載置し、栽培ベンチを循環させるような高密度栽培に前記技術を適用するとなると、ベンチ毎に配管や配線する必要があり、移動するベンチとの接続が難しく、破断や断線のおそれがあった。
【先行技術文献】
【特許文献】
【０００４】
【特許文献１】特開２０１０−２６８７８７号公報
【特許文献２】特開２０１１−１９２５６６号公報
【発明の概要】
【発明が解決しようとする課題】
【０００５】
本発明は、以上の如き状況に鑑みてなされたものであり、配管や配線の必要がなく、温度を調節するための制御手段も必要がなく、構造が簡単で、安価にイチゴのクラウン部を温める技術を提供しようとする。
【課題を解決するための手段】
【０００６】
本発明の解決しようとする課題は以上の如くであり、次にこの課題を解決するための手段を説明する。
即ち、請求項１においては、イチゴをプランターに植え付けてハウス内に配置し、扁平状の袋内に蓄熱材を封入してマット状に形成した加温体を前記イチゴのクラウン部の側部に敷き詰め、日中のハウス内の気温上昇により前記加温体を温めて蓄熱し、夜間、蓄熱材の凝固温度以下となると、加温体の放熱によりクラウン部を温めるものである。
請求項２においては、前記加温体は矩形のマット状に形成され、長手方向の一つの辺にイチゴの植付間隔に合わせて凹部が形成されるものである。
請求項３においては、前記加温体は矩形のマット状に形成され、長手方向の一つの辺にイチゴの植付間隔に合わせて切込が形成されるものである。
請求項４においては、前記加温体は矩形のマット状に形成され、長手方向の一つの辺に凹部と凸部を交互に配置して波状に形成されるものである。
請求項５においては、前記加温体は中央にクラウン部挿通孔を開口し、外周から前記クラウン部挿通孔に向かって切込が形成されるものである。
【発明の効果】
【０００７】
本発明の効果として、以下に示すような効果を奏する。
即ち、配線や配管、更に、温度管理のためのセンサや制御装置等が不要でイチゴのクラウン部を温めることができ、イチゴの生育を促進できる。そして、加温体は日中のハウス内の温度上昇により、蓄熱材に熱を吸収して蓄え、夜間に蓄熱材の放熱でクラウン部を温めることができるので、石油や電気等のエネルギーが不要で何度でも繰り返して使用でき、省エネとコスト低減化が図れる。
【図面の簡単な説明】
【０００８】
【図１】移動栽培装置の斜視図。
【図２】栽培ベンチの斜視図。
【図３】（ａ）栽培ベンチでイチゴを栽培している状態を示す斜視図、（ｂ）同じく断面図。
【図４】（ａ）は第１実施例の加温体の平面図、（ｂ）は第２実施例の加温体の平面図、（ｃ）は第３実施例の加温体の平面図、（ｄ）は第４実施例の円形とした加温体の平面図、（ｅ）は第４実施例の四角形とした加温体の平面図。
【発明を実施するための形態】
【０００９】
以下では、図１を参照して、本発明に係るイチゴのクラウン部を温めるための加温体３０を備える移動栽培装置１について説明する。図１、図２に示す如く、移動栽培装置１は野菜を栽培するプランター２、プランター２を載置して移動可能とする栽培ベンチ１０・１０・・・、栽培ベンチ１０・１０・・・を搬送する第一縦搬送装置２０Ａ、第二縦搬送装置２０Ｂ、第一横搬送装置４０Ａ、第二横搬送装置４０Ｂ、防除装置５２、薬液供給装置５３、図示しない水供給装置、搬送装置や防除装置等を制御する制御ユニット７０、及び、これらを覆うハウス８を具備する。なお、移動栽培装置１は水耕栽培、高設栽培に適用可能である。
【００１０】
プランター２は植物（野菜）を栽培するための容器である。図２に示す如く、プランター２の外形は縦方向に短く、横方向に長い形状を有する。より詳細には、プランター２の外形は概ねその上面に比べて下面の縦方向および横方向における長さが小さい四角錐台形状であり、プランター２の内部には空間が形成される。プランター２の内部に形成される空間には培土が収容され、当該培土に野菜（イチゴ）が植えられる。プランター２の上面は大きく開口し、プランター２の下面には余剰の水および薬液を外部に排出するための排出孔（不図示）が形成される。また、プランター２の上面の前端部および後端部にはそれぞれ係止縁部２ａ・２ａが形成され、栽培ベンチ１０の上部に係止できるようにしている。なお、本実施形態のプランター２はイチゴ３（図３）を栽培する用途に用いられ、本発明の加温体３０によりクラウン部３ａ近傍が加温される。この構成は後述する。
【００１１】
栽培ベンチ１０はプランター２を支持する構造体である。栽培ベンチ１０は移動栽培装置１の搬送装置（第一縦搬送装置２０Ａ、第二縦搬送装置２０Ｂ、第一横搬送装置４０Ａおよび第二横搬送装置４０Ｂ）により搬送される。
図２に示す如く、栽培ベンチ１０はロアフレーム１１、一対のアッパーフレーム１２・１２、八つの車輪１３・１３・・・、受け樋１４を備える。
【００１２】
栽培ベンチ１０は、ロアフレーム１１の前端部および後端部上に一対のアッパーフレーム１２・１２が前後平行に設けられ、該アッパーフレーム１２・１２上にプランター２の係止縁部２ａ・２ａが載置される。前記車輪１３・１３・・・はロアフレーム１１の下面に設けられ、移動が容易にできるようにしている。受け樋１４はロアフレーム１１の上面の前後方向における略中央部に固定され、プランター２の下面に形成された排出孔から排出された余剰の水および薬液を受け止めるようにしている。
【００１３】
図１に示す如く、第一縦搬送装置２０Ａおよび第二縦搬送装置２０Ｂは左右方向（横方向）に並べて配置され、栽培ベンチ１０・１０・・・を前後方向（縦方向）に搬送する。第一横搬送装置４０Ａおよび第二横搬送装置４０Ｂは栽培ベンチ１０・１０・・・を左右方向（横方向）に搬送する。
【００１４】
第一横搬送装置４０Ａの右半部は第一縦搬送装置２０Ａの前端部の前方に配置され、第一横搬送装置４０Ａの左半部は第二縦搬送装置２０Ｂの前端部の前方に配置される。第二横搬送装置４０Ｂの右半部は第一縦搬送装置２０Ａの後端部の後方に配置され、第二横搬送装置４０Ｂの左半部は第二縦搬送装置２０Ｂの後端部の後方に配置される。第一横搬送装置４０Ａおよび第二横搬送装置４０Ｂはいずれも、栽培ベンチ１０・１０・・・を第一縦搬送装置２０Ａおよび第二縦搬送装置２０Ｂとの間で受け渡すことが可能である。
【００１５】
従って、移動栽培装置１は、第一縦搬送装置２０Ａから第一横搬送装置４０Ａ、第二縦搬送装置２０Ｂおよび第二横搬送装置４０Ｂを経て第一縦搬送装置２０Ａに戻る無端状（リング状）の搬送経路に沿って栽培ベンチ１０・１０・・・を搬送することが可能である。なお、移動栽培装置１は、栽培ベンチ１０・１０・・・を搬送経路に沿って平面視（図１参照）で反時計回りに搬送することおよび時計回りに搬送することが可能である。
第一縦搬送装置２０Ａおよび第二縦搬送装置２０Ｂはレール３５・３５上に車輪１３・１３・・・を載置し、アクチュエータとなるシリンダを伸縮させることで、栽培ベンチ１０を縦方向に１台分移動させる。
【００１６】
第一横搬送装置４０Ａおよび第二横搬送装置４０Ｂは無端状の一対のチェーンをアクチュエータとなるモータにより回転させることで、栽培ベンチ１０を横方向に第一縦搬送装置２０Ａの搬送終端から第二縦搬送装置２０Ｂの搬送始端へ、または、第二縦搬送装置２０Ｂの搬送終端から第一縦搬送装置２０Ａの搬送始端へ移動する。
【００１７】
防除装置５２は第二横搬送装置４０Ｂの左右方向における略中央部に配置され、防除剤（植物の病害および虫害を防止する薬剤）を散布する。薬液供給装置５３は第二横搬送装置４０Ｂの左右方向における略中央部に配置される。
ハウス８は、木材または鋼材で躯体を形成し、この躯体を合成樹脂フイルムで覆って、または、ガラスや透明樹脂板等で覆って小屋を形成し、降雨や風を避け、保温や加温を行えるようにしている。
【００１８】
図３において、本発明の加温体３０は、イチゴ３のクラウン部３ａを温めるものである。クラウン部とはイチゴの茎の根茎部分のことである。このクラウン部分を温めることにより、草丈を伸ばし、葉を大きくすることができ、それに伴って花房を早く出させることができる。
【００１９】
本発明の加温体３０は、合成樹脂製の袋３５に蓄熱材３６を封入してマット状としたものである。蓄熱材３６は１５度〜２５度の間の所定温度帯で保温効果を発揮する相変化材料が用いられる。蓄熱材３６は液体から固体に変化するときに凝固点付近で周囲に熱を放出し、完全に凝固するまで凝固点付近の温度を維持する。そして、温めることで液体（ゲル状）に復元する。この蓄熱材３６は繰り返し使用が可能であるため、ランニングコストを低減することができる。
前記加温体３０はイチゴ３を植え付けたプランター２内の培土表面を覆うように敷き詰められる。加温体３０はプランター２の上部面積に合わせた大きさの前後に二分割した構成とし、プランター２の前後から培土表面を覆う。この時、加温体３０の袋は柔軟性を有し、蓄熱材はゲル状であるため、イチゴ３のクラウン部３ａの形状に合わせて、沿わせることができる。そして、加温体３０を敷き詰めたプランター２を移送してイチゴを栽培する移動栽培装置１は、ハウス８内に配置され、加温体３０の蓄熱材３６の熱エネルギーの吸収は、昼間のハウス内の温度上昇時に行われる。この熱エネルギーの吸収は太陽光より行うため、蓄熱材３６を封入した袋３５は、黒色として熱の吸収を促進するようにすることもできる。ただし、雨天等で気温が低い場合では、ボイラー等によりハウス８内の温度を上昇させ、蓄熱材３６に熱エネルギーを吸収させてもよく、お湯の中に加温体３０を漬けて温めても、また、電子レンジ等を用いて温めることも可能である。
【００２０】
加温体３０はクラウン部３ａを効率よく温めるために、以下のような構成とすることができる。
加温体３０はプランター２の収容上部表面を覆うようにその大きさがプランター２内側表面に合わせて構成されている。つまり、プランター２に収容した培土の上面を、前後対称（または点対称）となるように二つの加温体３０・３０を対向して配置して、前後の辺を突き合わせて覆うようにしている。加温体３０は平面視矩形状に構成されて、長手方向の長さはプランター２の長手方向内寸に合わせ、短手方向の長さはプランター２の短手方向の半分の長さとしている。
そしてさらにクラウン部３ａを傷めず効率よく温めるために、第１実施例の加温体３０は、図３、図４（ａ）に示すように、長手方向の前後二辺のうち、プランター２内で対向させて突き合わせる突き合わせ辺３０ａに、イチゴの栽培間隔に合わせて凹部３０ｂ・３０ｂ・・・が所定間隔離れて形成されている。該凹部３０ｂはイチゴ３のクラウン部３ａの周囲に接する程度の大きさの半円状としている。突き合わせ辺３０ａには培土の凹凸等により突き合わせ辺部分で開かないように、フックや面ファスナー等で構成した連結部材３０ｃを適宜配設している。
このように構成した加温体３０は、イチゴをプランター２に移植した後に、前後方向からそれぞれ敷き詰めて、連結部材３０ｃで前後の加温体３０・３０を連結することで培土表面を覆うことができる。但し、凹部３０ｂの数や連結部材３０ｃの数は限定するものではなく、長手方向を短くして凹部３０ｂを二つ設ける加温体や三つ設ける加温体等を構成して、プランター２内を複数に分割して敷き詰めるように構成することもできる。
【００２１】
第２実施例の加温体３１は、第１実施例と構成は略同じであり、突き合わせ辺３１ａの構造のみ異なるので、この突き合わせ辺３１ａの構成について説明する。図４（ｂ）に示すように、長手方向一側の突き合わせ辺３１ａにはイチゴの栽培間隔に合わせて切込３１ｂ・３１ｂ・・・が形成されている。該切込３１ｂにイチゴ３のクラウン部３ａが位置すると、切込３１ｂがその大きさに応じて開き、無駄に大きく開いて熱が逃げることがなく、隙間なく加温体３１をクラウン部３ａに近づけることができ、クラウン部３ａを効率良く加温できるようにしている。また、クラウン部３ａの位置（移植位置）が多少ズレても、切込３１ｂの広がり程度が異なるだけで、クラウン部３ａを痛めることもない。また適宜位置に連結部材３１ｃを設けることもできる。
【００２２】
第３実施例の加温体３２は、第１実施例と構成は略同じであり、突き合わせ辺３２ａの構造のみ異なるので、この突き合わせ辺３２ａの構成について説明する。図４（ｃ）に示すように、長手方向一側の突き合わせ辺３２ａは複数の凹部３２ｂと凸部３２ｃを交互に配置して波状に構成している。前後に加温体３２・３２を突き合わせたときに対向する凹部３２ｂと凸部３２ｃが嵌合して隙間なくプランター２の収容上部面を覆うようにしている。但し、凹部３２ｂと凸部３２ｃの形状は半円状に限定するものではなく、三角形状や四角形状等であってもよい。
そして、加温体３２をプランター２に敷いたとき、クラウン部３ａが位置する部分は凹部３２ｂと凸部３２ｃの間の隙間が広がり、クラウン部３ａと接した状態とし効率良く温めることができる。また、加温体３２の蓄熱材３６を収容する袋３５は柔軟性を有する合成樹脂で構成しているため、クラウン部３ａが位置する部分の凸部３２ｃを本体側内部に押し込むことにより、凸部３２ｃを凹ませることができ、凸部３２ｃがクラウン部３ａに押し付けて傷めることがないようにすることもできる。
【００２３】
第４実施例の加温体３３・３４は、図４（ｄ）（ｅ）に示すように、プランター２の収容上部に入る大きさとし、外形は図４（ｄ）に示す円形の加温体３３、または、図４（ｅ）に示す四角形状の加温体３４としている。加温体３３・３４は中央にイチゴのクラウン部３ａの大きさにあわせ、クラウン部３ａを挿通する挿通孔３３ａ・３４ａが形成され、外周から中心方向（半径方向）に切込３３ｂ・３４ｂが形成されている。また、切込３３ｂ・３４ｂには培土の凹凸等により分割部分で開き加温効率が低下しないように、ホックや面ファスナー等で構成した連結部材３３ｃ・３４ｃを適宜分割辺に配設することもできる。
このように構成した加温体３３・３４は、イチゴ３をプランター２に移植した後に、ひとつひとつ切込３３ｂ・３４ｂを開いてクラウン部３ａを挿通して培土表面を覆うようにして設置する。
【００２４】
上記のように、プランター２に栽培されたイチゴ３のクラウン部３ａの周囲に加温体３０（または３１・３２・３３・３４）を配置して、プランター２を栽培ベンチ１０に載置して、第一縦搬送装置２０Ａ、第一横搬送装置４０Ａ、第二縦搬送装置２０Ｂ、第二横搬送装置４０Ｂにより循環させながら搬送して、イチゴ３を栽培すると、日中は太陽光を受けることによりハウス８内は温度上昇し、その温度が所定の温度（融解点）より上昇すると蓄熱材３６に熱エネルギーが吸収されて蓄えられる。この蓄熱材３６の固相から液相への相変化のとき、蓄熱材３６は周囲の熱を吸収して融解点付近の温度を維持しようとするため、極端な温度上昇が抑えられ、イチゴ３を高熱に晒すことも防止できる。そして、夜間になり周囲温度が低下して、融解点以下となると、蓄熱材３６は相変化するときに放熱してクラウン部３ａを温めることができる。
【００２５】
以上のごとく、イチゴ３をプランター２に植え付けてハウス８内に配置し、扁平状の袋内に蓄熱材を封入してマット状に形成した加温体３０を前記イチゴのクラウン部３ａの側部に敷き詰め、日中のハウス８内の気温上昇により前記加温体３０を温めて蓄熱し、夜間、蓄熱材の凝固温度以下となると、加温体３０の放熱によりクラウン部３ａを温めるので、配線や配管、更に、温度管理のためのセンサや制御装置等が不要でイチゴ３のクラウン部３ａを温めることができ、イチゴ３の生育を促進できる。そして、加温体３０（３１・３２・３３・３４）は日中のハウス８内の温度上昇により、蓄熱材３６に熱を吸収して蓄え、夜間に蓄熱材３６の放熱でクラウン部３ａを温めることができるので、石油や電気等のエネルギーが不要で何度でも繰り返して使用でき、省エネとコスト低減化が図れる。
【００２６】
そして、矩形のマット状に形成し加温体３０は、長手方向の一つの辺にイチゴ３の植付間隔に合わせて凹部３０ｂが形成されるので、前後両側から加温体３０をイチゴ３の葉茎の下方に差し込んで、凹部３０ｂをできるだけクラウン部３ａに近づけることができ、クラウン部３ａを効率良く加温できるようになる。
また、加温体３１は矩形のマット状に形成し、長手方向の一つの辺にイチゴ３の植付間隔に合わせて切込３１ｂが形成されるので、前後両側から加温体３０をイチゴの葉茎の下方に差し込んで、切込３１ｂをクラウン部３ａに位置させることで、クラウン部３ａの大きさに応じて開き、無駄に大きく開いて熱が逃げることがなく、隙間なく加温体３１をクラウン部３ａに近づけることができ、クラウン部３ａを効率良く加温できるようになる。
【００２７】
また、加温体３２は矩形のマット状に形成し、長手方向の一つの辺に凹部３２ｂと凸部３２ｃを交互に配置して波状に形成されるので、対向する凹部３２ｂと凸部３２ｃの間の隙間は、クラウン部３ａの大きさに応じて開き、無駄に大きく開いて熱が逃げることがなく、隙間なく加温体３２をクラウン部３ａに近づけることができ、クラウン部３ａを効率良く加温できるようになる。また、凸部３２ｃが強くクラウン部３ａに当たる場合には、本体側に押し込むことにより凹ませることができ、クラウン部３ａを傷めないようにすることもできる。
【００２８】
また、加温体３３・３４は扁平状の袋３５内に蓄熱材３６を封入してマット状に形成し、中央にクラウン部挿通孔３３ａ・３４ａを開口し、外周から前記クラウン部挿通孔３３ａ・３４ａに向かって切込３３ｂ・３４ｂが形成されるので、イチゴ３の株ごとに加温体３３（３４）を配置することができ、株の間隔が不規則であっても全てのイチゴ３のクラウン部３ａを温めることができる。
【符号の説明】
【００２９】
２    プランター
３    イチゴ
３ａ  クラウン部
８    ハウス
３０・３１・３２・３３・３４  加温体
３０ａ・３１ａ・３２ａ  突き合わせ辺
３０ｂ  凹部
３１ｂ  切込
３２ｂ  凹部
３２ｃ  凸部
３３ａ・３４ａ  挿通孔
３３ｂ・３４ｂ  切込
３５    袋
３６    蓄熱材
【図１】
2014030403.tif 000003
【図２】
2014030403.tif 000004
【図３】
2014030403.tif 000005
【図４】
2014030403.tif 000006